(57)【要約】【課題】本発明の解決しようとする課題は、通常の合成樹脂フィルムを材料としながら、偏平な形状の物品を収納して持ち運んだ時に、収納物が偏ったりし難い持ち手付き包装袋を提案するものである。【解決手段】基材層とシーラント層を有する積層体のシーラント層を内側にして四角筒状となし、左右の両端部を熱シールして箱形状に成形してなる包装袋１であって、天面２の中心線７を中心として前後対称の位置に、前記積層体が折り曲げられてその一部または全部が熱シールされた、前記中心線に並行する長さαｃｍの２つのフラップ８が形成されており、該フラップは、これを貫通する切り込み線９によって、包装袋を持ち運ぶための持ち手を形成しており、２つのフラップの距離はβｃｍであり、αとβの値が、２α＞βの関係を有することを特徴とする包装袋である。【選択図】図１
2019182482.tif 000002
【特許請求の範囲】
【請求項１】
基材層とシーラント層を有する積層体のシーラント層を内側にして四角筒状となし、左右の両端部を熱シールして箱形状に成形してなる包装袋であって、
天面の中心線を中心として前後対称の位置に、前記積層体が折り曲げられてその一部または全部が熱シールされた、前記中心線に並行する長さαｃｍの２つのフラップが形成されており、
該フラップは、これを貫通する切り込み線によって、包装袋を持ち運ぶための持ち手を形成しており、
２つのフラップの距離はβｃｍであり、αとβの値が、２α＞βの関係を有することを特徴とする包装袋。
【発明の詳細な説明】
【技術分野】
【０００１】
本発明は持ち手を有し、持ち運びに便利な包装袋に関し、特に偏平な形状の物品を収納した時に、物品が傾いたり偏ったりすることのない包装袋に関する。
【背景技術】
【０００２】
通常スーパーマーケット等で商品に添付される袋（レジ袋）は、縦長で底面の狭いものが一般的であり、弁当や刺身盛のように偏平な形状でしかも傾いたりしては困るものを水平を保った状態で収納することができない。これは、底面が形成されていない事に加えて、側壁の延長上に持ち手がついているためであり、このために、収納物が袋の中で回転してしまうのである。
店によっては、初めから偏平な形状のレジ袋を用意している場合もあるが、通常のレジ袋の縦寸法を単に短くしただけの構造であったり、持ち手部分が、同様に側壁の延長上にあったりするため、持ち運んでいるうちに、品物が傾いたり、場合によっては、立ってしまったりすることは、しばしば経験することである。
【０００３】
特許文献１に記載された合成樹脂製袋は、このような問題を解決するために提案されたものであり、偏平な品物を安定よく収納することができ、把手部の強度が高く、袋の有効高を高くすることを可能とした袋である。
【０００４】
特許文献１に記載された合成樹脂製袋は、長手方向に所要幅の厚肉部を形成した筒状フィルムの両端部を内側に折込んで４枚重ねとした折込み部を形成し、筒状フィルムの長手方向両端部を溶着して封止するとともに前記厚肉部の長手方向に収納口を開口し、この収納口を間にして各厚肉部の長手方向中央位置に一対の把手孔を穿設したものである。
【０００５】
特許文献１に記載された合成樹脂製袋は、厚肉部を形成した筒フィルムを作成するために専用の特殊な金型を必要とするため、材料コストがかかり、高価なものと成らざるを得ないものである。
【先行技術文献】
【特許文献】
【０００６】
【特許文献１】特開平５−３１０２５４号公報
【発明の概要】
【発明が解決しようとする課題】
【０００７】
本発明の解決しようとする課題は、通常の合成樹脂フィルムを材料としながら、偏平な形状の物品を収納して持ち運んだ時に、収納物が偏ったりし難い持ち手付き包装袋を提案するものである。
【課題を解決するための手段】
【０００８】
上記の課題を解決するための手段として、請求項１に記載の発明は、基材層とシーラント層を有する積層体のシーラント層を内側にして四角筒状となし、左右の両端部を熱シールして箱形状に成形してなる包装袋であって、天面の中心線を中心として前後対称の位置に、前記積層体が折り曲げられてその一部または全部が熱シールされた、前記中心線に並行する長さαｃｍの２つのフラップが形成されており、該フラップは、これを貫通する切り込み線によって、包装袋を持ち運ぶための持ち手を形成しており、２つのフラップの距離はβｃｍであり、αとβの値が、２α＞βの関係を有することを特徴とする包装袋である。
【０００９】
本発明に係る包装袋は、天面の中心線を中心として対称の位置に持ち手となる２つのフラップを有し、フラップの長さと距離を特定したことにより、フラップを持って持ち運んだ時に内容物が安定して偏ったりしないものとすることが出来た。
【発明の効果】
【００１０】
本発明に係る包装袋は、基材層とシーラント層を有する積層体のシーラント層を内側にして四角筒状となし、左右の両端部を熱シールして箱形状に成形してなる包装袋であるから、気密性を有し、通常の包装袋と同様に、保存性を必要とする内容物を収納することができる。
【００１１】
また、本発明に係る包装袋は、天面の中心線を中心として前後対称の位置に、前記積層体が折り曲げられてその一部または全部が熱シールされた、前記中心線に並行する長さαｃｍの２つのフラップが形成されており、該フラップは、これを貫通する切り込み線によって、包装袋を持ち運ぶための持ち手を形成しており、２つのフラップの距離はβｃｍであり、αとβの値が、２α＞βの関係を有することにより、フラップを持って安定して持ち運ぶことが出来、しかも持ち運び時に内容物が偏ったりしない。
【図面の簡単な説明】
【００１２】
【図１】図１は、本発明に係る包装袋の一実施態様を示した斜視図である。
【図２】図２は、図１のＡ−Ａ´断面を模式的に示した断面説明図である。
【発明を実施するための形態】
【００１３】
以下、図面を参照しながら本発明に係る包装袋について詳細に説明する。本発明に係る包装袋は、基材層とシーラント層を有する積層体のシーラント層を内側にして四角筒状となし、左右の両端部を熱シールして箱形状に成形してなる包装袋である。
図１に示した例では、積層体の前端と後端のシーラント層同士を対向させて合掌シール部１１を形成して筒状となし、これを底面３に配置したものであり、前面４及び後面５がガセット状となっている。左右の端部は、サイドシール部１２、１２を折込んで箱形状に成形したものである。
【００１４】
天面２には、中心線７を中心として前後対称の位置に、積層体が折り曲げられてその一部または全部が熱シールされた、中心線７に並行する長さαｃｍの２つのフラップ８、８が形成されている。フラップ８、８は、これを貫通する切り込み線９、９によって、包装袋を持ち運ぶための持ち手を形成している。
本発明に係る包装袋１は、２つのフラップの距離をβｃｍとした時に、αとβの値が、２α＞βの関係を有することを特徴とする包装袋である。
【００１５】
持ち手となる２つのフラップ８、８の長さと距離がこのような関係にあることで、持ち手であるフラップを手で持った時に、包装袋を水平に安定的に持ち運ぶことができる。但し、βの値が小さすぎると持った時の安定性を欠くので、βの値は、天面の長さをＬｃｍとした時、Ｌ＞β＞の１／１０・Ｌ程度の範囲にあることが望ましい。
【００１６】
本発明に係る包装袋１に用いる積層体の構成としては、通常軟包装袋に使用される一般的な材料構成で良い。基材層としては、ポリエチレンテレフタレート樹脂（ＰＥＴ）フィルム、延伸ポリプロピレン樹脂（ＯＰＰ）フィルム、ナイロンフィルム（ＯＮＹ）等の、ある程度の耐熱性と印刷適性を備えた合成樹脂フィルムが用いられる。
【００１７】
シーラント層としては、ポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等が使用される。
【００１８】
基材層の表面側に熱シール可能な層を設けることにより、合掌シール部やサイドシール部を折込んで、包装袋の表面に溶着することができる。但し、このような層を設けなくても、これらのシール部を折り込んで、包装袋の表面に接着剤を用いて、接着することもできる。
【００１９】
基材層とシーラント層の間には、水蒸気や酸素の透過を抑制するガスバリア層を設けても良い。ガスバリア層を設けた積層体を使用し、無菌充填ないしは充填後の滅菌処理を行うことにより、内容物の長期保存性を確保することもできる。
【符号の説明】
【００２０】
１・・・包装袋
２・・・天面
３・・・底面
４・・・前面
５・・・後面
６・・・側面
７・・・中心線
８・・・フラップ
９・・・切り込み線
α・・・フラップの長さ
β・・・フラップの距離
Ｌ・・・包装袋の長さ
１０・・・内容物
１１・・・合掌シール部
１２・・・サイドシール部
【図１】
2019182482.tif 000003
【図２】
2019182482.tif 000004